(57)【要約】【課題】  一般的なゴルファーはダウンスイング開始時にクラブフェースをボールに正しく戻そうとして結果的に右手で（グリップエンドではなく）クラブヘッドからダウンスイングを始めてしまい結果としてゴルフボールをアウトサイドからカットに打ってしまう。【解決手段】  ゴルファーの意識をボールに対してクラブフェースを戻すのではなく、アドレスした左手位置にグリップエンドを戻すという発想の転換を促すことが可能となるグリップエンドにイラストの眼を配置したゴルフグリップを特徴とする。スイングする本人が正しいスイング軌道面にいるのか外れたかがスイングしながら理解できるので正しいスイング平面に沿ったスイングをすることが可能になるように工夫した物がこの発明です。グリップエンドにある眼で元のアドレス時の左手グリップ位置（目標）をしっかりと見続ける意識が格段に高まるので正しいスイングを早く確実に覚えることが可能となる。【選択図】図１
2007296227.tif 000002
【特許請求の範囲】
【請求項１】
ゴルフ用グリップのグリップエンド（後端部）に眼のイラストを入れた事を特徴とするゴルフ規則に適合した（公式試合で使用可能な）ゴルフスイング習得用グリップ。
【請求項２】
既存のゴルフ用グリップ後端部分に装着する眼のイラストが入ったグリップアダプターである。
【請求項３】
前記眼のイラストは、グリップ・センターマークに対して眼の上部位置を合わせてグリップエンドに配置されることを特徴とする請求項１のゴルフ用グリップ及びグリップ・センターマークに対して眼の上部位置マークを合わせてグリップエンドに配置されることを特徴とする請求項２記載の既存のゴルフ用グリップ後端部分に装着するアダプターである。
【発明の詳細な説明】
【技術分野】
【０００１】
この発明は、ゴルフクラブ用グリップ（グリップ用アダプターを含む）を利用したゴルフスイング習得器具に関するものである。
【背景技術】
【０００２】
従来のゴルフ用グリップエンドには、グリップメーカーのロゴがあるのが一般的で特別な意味を持たない。例外的にグリップエンドに意味を見出せるものは次に述べる数点が見られるがいずれもグリップエンドを加工して、ゴルフクラブの番手等を容易に識別することができるゴルフクラブ用表示具を提供したり（たとえば特許文献１）やグリップエンドに取り付ける重量の異なるエンドチップをこれらのうちで取り替えることによりゴルフクラブの特性を調整するゴルフクラブの調整方法が目的であったり（たとえば特許文献２）摩耗に対して優れた耐久性を発揮するようにしたゴルフクラブ用エンドチップを提供する（たとえば特許文献３）また、クラブの部品交換を行うときも履歴情報を容易に保持できるゴルフ クラブのエンドチップ及びゴルフ クラブを提供する（たとえば特許文献４）、ゴルフ パターのグリップエンド に常にマーカーを装填所持する簡便器具である（たとえば特許文献５）などが見られる。
【特許文献１】特開２０００−１０７３３７号公報
【特許文献２】特開２０００−３００７０６号公報
【特許文献３】特開２００４−３０５５５９号公報
【特許文献４】特開２００３−１９０３３４号公報
【特許文献５】実登３０４７８２８号広報
【発明の開示】
【発明が解決しようとする課題】
【０００３】
現在市場に流通している普通のグリップの付いたゴルフクラブを使用している一般的なゴルファーはクラブフェースをボールに正しく戻そうと意識してスイングするが、そのためにスイングのトップ位置で右手を使用してクラブ先端からダウンスイングを始めてしまう事が多く見られる。結果的にグリップはインパクトまで遠回りし、なおかつアドレス時のグリップ位置より遠い位置を通ってアウトサイドからボールを打ちにいってしまうというような事がほとんどのゴルファーに共通して見られる。
【課題を解決するための手段】
【０００４】
以上の課題を解決する手段の一つとして発想の転換をしてボールにクラブフェースを戻すのではなくアドレス時のグリップ位置にグリップを戻すことが意識できれば合理的で正しいゴルフスイングを覚えることが可能である。グリップの終端という以外特別な意味は持たない従来の一般的なゴルフ用グリップエンドに図１及び図２等に示すように、眼のイラストを設けたものである
そして、この発明は、ゴルフスイング中にグリップエンドのイラストの眼をアドレス時のグリップ位置を見続けるようにスイングすることにより正しいスイング軌道に導くことを容易にするゴルフスイング習得手段を提供することを課題とする。
【０００５】
以上の課題を解決するために、本発明は、グリップエンドにイラストの眼を設けたことを特徴とするゴルフクラブ用スイング習得グリップである。
【発明の効果】
【０００６】
世界の各地に眼の力にかかわる多くの神話や民話伝承などがあり、自然界の昆虫や魚類等にも眼状紋という（眼を意識させる）イラスト状の大きな眼で他者を脅し自らの身を守っている眼の存在が知られているが、たとえ描かれた眼にもそれ自体が心理的に強い影響を及ぼすことを多くの学者が言及している事が知られている。
本発明によれば、ゴルフスイング中にグリップエンドについたイラストの眼を意識してアドレス時の左手グリップ位置を見続けようと意識することによってゴルフスイングを正しくバックスイング軌道に導き（アウトサイドにバックスイングしてもインサイドにバックスイングしても、グリップエンドにあるイラストの眼の中心部ではアドレス時のグリップ位置を見続けられない）バックスイングのトップ位置でもイラストの眼を元のアドレス時の左手グリップ位置を意識することにより過度なリストコックを防ぎ（リストコックを意識して行うとグリップエンドの眼がアドレス時の左手グリップ位置を見続けられない）オーバースイングを防止し、またグリップエンドの眼がアドレス時の左手グリップ位置を見続けるダウンスイングを行うことによってグリップエンドから始まるダウンスイングによって正しいスイング軌道を学ぶことができる。
【発明を実施するための最良の形態】
【０００７】
この発明の実施例を、図１に示す。
グリップエンドに付けられた眼はバックスイングが始まりクラブを握った両手が腰の高さ付近に来るとアドレス時の左手グリップ位置をまともにイラストの眼の正面に見るようになるがそのままイラストの眼がダウンスイング途中の腰の位置くらいまで元の左手グリップ位置を見続けられるように設けられている。
【実施例１】
【０００８】
この実施例によれば、バックスイングだけでなくダウンスイングも腕が地面に平行となる以前にイラストの眼が元のアドレス時の左手グリップ位置を見なくなった時、ゴルフスイングがスイング軌道から外れたことを知ることができる。バックスイングが始まり両手が腰の高さくらいまでに上がると、このグリップエンドについたイラストの眼がアドレス時の左手グリップ位置を見ることが可能になる。その状態を続けたまま（グリップエンドの眼がアドレス時の左手グリップ位置を見続けるように）バックスイングを行い、グリップエンドの眼が元のアドレス時の左手位置を見続けるようにダウンスイングすれば、グリップエンドの眼がアドレス時の左手グリップ位置を眼の中央に見ることができなくなった時にスイング軌道から外れたことを知ることになるので（正しいスイングを行ったかどうかをスイングしている本人がその時に知ることで）正しい軌道に沿ったゴルフスイングを早く覚えることが可能となる。
【実施例２】
【０００９】
図１の実施例では、製造されたグリップエンドにイラストの眼を入れたが、他の実施例では、既存の種々の形状を有する各メーカーのグリップエンドに取り付け可能な形で、クラブバランスをほとんど変化させないように薄く作られたアダプターであることを特徴とするゴルフグリップエンドアダプターとしたものも含む。また眼のイラストに馴染むことの出来ない人のために方向を指し示す矢印イラストバージョンも含まれる。このアダプターは接着剤、両面テープ等で既存のグリップエンドに取り付けが可能なものである。
【図面の簡単な説明】
【００１０】
【図１】この発明の実施例を示す斜視図である。
【図２】はグリップ後端部から見た斜視図である。
【図３】はグリップ後端部から見た正面図である。
【図４】はグリップアダプター後端部から見た斜視図である。
【図５】矢印バージョンである。
【図６】従来技術を示す斜視図である。
【符号の説明】
【００１１】
１  シャフト
２  グリップ・センターマーク
３  グリップ
４  グリップエンド
５  眼
６  ロゴ
７  エアー抜き穴
【図１】
2007296227.tif 000003
【図２】
2007296227.tif 000004
【図３】
2007296227.tif 000005
【図４】
2007296227.tif 000006
【図５】
2007296227.tif 000007
【図６】
2007296227.tif 000008